(57)【要約】【目的】本発明は観賞魚の飼育用の水槽内に設けられて、水槽内の水を濾過して浄化するようにした内部式濾過装置において、人が手を水槽内に深く入れることなく、２つ割りの濾過ケースの一方を水槽内に残置したままその他方を水槽内で分離して、その他方の濾過エレメントユニットと共に水槽外に取り出すことができ、濾過エレメントの清掃、交換などのメンテナンスを簡単、容易に行なうことができるようにした。【構成】濾過装置Ｆの、２つ割りの濾過ケース５は、水槽１内に設置される第１のケース半体５Ｆと、これに着脱可能に結合される第２のケース半体５Ｓとより構成され、水槽１の水面上から、第２のケース半体５Ｓは、そこに濾過エレメントユニット６を受け入れたまま第１のケース半体５Ｆから取り外し、あるいはそこに組み付けることができる。【選択図】　　　図１８
2004057071.tif 000002
【特許請求の範囲】
【請求項１】
上下方向に延びて水槽（１）内に設置される濾過ケース（５）と、その濾過ケース（５）内に着脱可能に設けられる濾過エレメントユニット（６）と、この濾過エレメントユニット（６）内に形成される吸上通路（１０）の上端に着脱可能に連通接続される排水管（７）とを備え、ポンプ（Ｐｕ）により前記吸上通路（１０）内に発生する上昇水流により、水槽（１）内の未浄化水を前記濾過ケース（５）内に吸い込み、前記濾過エレメントユニット（６）を通過させて浄化したのち、吸上通路（１０）および排水管（７）を通して水槽（１）内に還流させるようにした、内部式濾過装置において、
前記濾過ケース（５）は、相互に分離・結合可能な第１、第２のケース半体（５Ｆ，５Ｓ）よりなり、前記第１のケース半体（５Ｆ）は、水槽（１）の壁面に取り付けられて、その左右両側縁に上下方向に延びる案内溝（２６）が形成されると共に複数の係止孔（２７）が穿設され、さらにその底部に係止受部（１８）が形成され、
一方、前記第２のケース半体（５Ｓ）は、前記濾過エレメントユニット（６）を受ける受容部（３６）が形成され、その両側下縁に、前記案内溝（２６）にスライド係合する案内突起（３０）が突設されると共にその両側縁に前記係止孔（２７）に係合される係合突起（３１）が突設され、さらにその底部に前記係止受部（１８）に回動可能に受け止められる回動係合部（２３）が形成され、
前記第１のケース半体（５Ｆ）を水槽（１）内に取り付けたまま、水槽（１）の上方から濾過エレメントユニット（６）を受容した第２のケース半体（５Ｓ　）を結合できるようにしたことを特徴とする、内部式濾過装置。
【請求項２】
前記排水管（７）は、第１のケース半体（５Ｆ）に、第２のケース半体（５Ｓ）を結合する際の撮みに利用できるようにしたことを特徴とする、前記請求項１記載の内部式濾過装置。
【請求項３】
前記濾過エレメントユニット（６）は、エレメントホルダ（５０）と、その外周に巻き付けられる濾過エレメント（５１）よりなり、前記エレメントホルダ（５０）は、ヒンジ片（５２）により開閉可能に接続される一対の半円状部分（５３）を備え、前記エレメントホルダ（５０）は、開状態で濾過エレメント（５１）を取り付けたのち、閉状態に閉じることによりそれをその外周に巻き付け保持することを特徴とする、前記請求項１、または２記載の内部式濾過装置。
【発明の詳細な説明】
【０００１】
【発明の属する技術分野】
本発明は、金魚、熱帯魚、海水魚等の観賞魚の飼育用水槽内に設けられて、水槽内の水を循環濾過するようにした、内部式濾過装置に関するものである。
【０００２】
【従来の技術】
一般に、水槽内で金魚、熱帯魚等の観賞魚を飼育、育成するために、水槽内の水を濾過して浄化する濾過装置として、その濾過本体を水槽内に設置し、エアポンプにより、水槽内の水を濾過本体内の濾材を通過させて循環させることにより、浄化するようにした、内部式濾過装置は公知である（たとえば、特公平３−７４０６号公報参照）。
【０００３】
【発明が解決しようとする課題】
ところで、このような内部式濾過装置は、その主要部分を水槽の内部に設け、水槽内の水を、水槽内の水に浸漬される濾材を通過させて浄化できるため、濾過能率がよい利点があり、一般に広く普及しているが、水槽内の水に浸漬されている濾過エレメントには、濾過して取り除かれた糞、残餌などの汚物が次第に付着、堆積して濾過能率の低下を招き、また水槽全体の外観上の美観を損なうことから、その濾過エレメントの清掃、取替などメンテナンス作業を定期的に行なう必要がある。
【０００４】
ところが、従来では、前記作業を行なうには、人が手を水槽の水中に深く入れて濾過本体全体を水槽外に取り出して行なう必要があるため、その作業が面倒であるばかりでなく、人が嫌う「水槽の水に手を浸す」作業をしなければならず、しかも水槽の水を汚すという問題がある。
【０００５】
そこで、本発明は濾過エレメントの清掃、取替などの作業を行なうのに際して、
▲１▼濾過エレメントを収容している濾過ケース全体を水槽外に取り出す作業、
▲２▼人が水槽内の水に手を深く入れて行なう作業、
をすることなく、前記濾過エレメントの清掃、取替などのメンテナンス作業を簡単、容易に、しかも水槽内の水を手で汚することなく行なうことができるようにした、新規な内部式濾過装置を提供することを目的とするものである。
【０００６】
【課題を解決するための手段】
前記目的達成のため、請求項１記載の発明は、上下方向に延びて水槽内に設置される濾過ケースと、その濾過ケース内に着脱可能に設けられる濾過エレメントユニットと、この濾過エレメントユニット内に形成される吸上通路の上端に着脱可能に連通接続される排水管とを備え、ポンプにより前記吸上通路内に発生する上昇水流により、水槽内の未浄化水を前記濾過ケース内に吸い込み、前記濾過エレメントユニットを通過させて浄化したのち、吸上通路および排水管を通して水槽内に還流させるようにした、内部式濾過装置において、前記濾過ケースは、相互に分離・結合可能な第１、第２のケース半体よりなり、前記第１のケース半体は、水槽の壁面に取り付けられて、その左右両側縁に上下方向に延びる案内溝が形成されると共に複数の係止孔が穿設され、さらにその底部に係止受部が形成され、一方、前記第２のケース半体は、前記濾過エレメントユニットを受ける受容部が形成され、その両側下縁に、前記案内溝にスライド係合する案内突起が突設されると共にその両側縁に前記係止孔に係合される係合突起が突設され、さらにその底部に前記係止受部に回動可能に受け止められる回動係合部が形成され、前記第１のケース半体を水槽内に取り付けたまま、水槽の上方から濾過エレメントユニットを受容した第２のケース半体を結合できるようにしたことを特徴とし、また請求項２記載の発明は、前記請求項１記載の発明において、前記排水管は、第１のケース半体に、第２のケース半体を結合する際の撮みに利用できるようにしたことを特徴とし、さらに、請求項３記載の発明は、前記請求項１または２記載の発明において、前記濾過エレメントユニットは、エレメントホルダと、その外周に巻き付けられる濾過エレメントよりなり、前記エレメントホルダは、ヒンジ片により開閉可能に接続される一対の半円状部分を備え、前記エレメントホルダは、開状態で濾過エレメントを取り付けたのち、閉状態に閉じることによりそれをその外周に巻き付け保持することを特徴としている。
【０００７】
そして、前記各発明によれば、濾過エレメントユニットの濾過エレメントの清掃、交換などのメンテナンスを行なうときは、第１のケース半体を、水槽内に残置したまま、しかも人は、水槽内の水に手を深く入れずに、第１のケース半体に、濾過エレメントユニットを設置した第２のケース半体を容易に組み付け、またはそこから取り外すことができ、これにより、濾過エレメントの清掃、交換作業をきわめて簡単、容易に行なうことができ、しかも、水槽内の水を手で汚すことがない。
【０００８】
【発明の実施の形態】
以下、本発明の実施の形態を、添付図面に示した本発明の実施例に基づいて説明する。
【０００９】
まず、図１〜２０を参照して、本発明の第１実施例について説明する。
【００１０】
図１は、濾過装置を水槽に設置した場合の斜視図、図２は図１の２矢視の、濾過装置の一部破断正面図、図３は、図２の３−３線に沿う断面図、図４は、図２の４−４線に沿う断面図、図５は、図２の５−５線に沿う断面図、図６は、図４の６−６線に沿う断面図、図７は、図２の　７−７　線に沿う濾過装置の分解断面図、図８は、第１のケース半体の正面図、図９は、図１０の９−９線に沿う濾過ケースの断面図、図１０は、図９の１０矢視の濾過ケースの底面図、図１１は、濾過ケースに分解および組立時の断面図、図１２は、濾過エレメントユニットの一部破断正面図、図１３は、図１２の１３−１３線に沿う濾過エレメントユニットの開閉状態を示す断面図、図１４は、エレメントホルダの側面図、図１５は、図１４の１５矢視のエレメントホルダの正面図、図１６は、図１４の１６矢視のエレメントホルダの背面図、図１７は、濾過エレメントユニットの組立順序を示す斜視図、図１８，１９は、濾過ケースの組み付け手順を示す図、図２０は、図１８の２０−２０線に沿う断面図である。
【００１１】
図１〜６に示すように、本発明にかかる内部式濾過装置Ｆは、直方体に形成される水槽１の相互に直交する２つの壁面１ａ，１ｂによって構成される隅角部２に、複数の吸盤３により着脱可能に取付けられる。この濾過装置Ｆ内には、エアポンプＰｕの作動により水槽１内の水が吸い込まれ、その内部で濾過された後、浄化された水は水槽１内へと還流される。
【００１２】
濾過装置Ｆは、２つ割りの濾過ケース５と、その濾過ケース５に着脱可能に装着される、濾過エレメントユニット６と、この濾過エレメントユニット６内に設けた吸上通路１０の上端に接続される排水管７と、この排水管７を貫通して吸上通路１０内に挿入される吸上ホース８とを備えており、この吸上ホース８の上端に水槽１外に設けられるエアポンプＰｕが接続され、またその下端には、エアストン９が接続される。図３，５に示すように濾過ケース５と、濾過エレメントユニット６との間には、未浄化室Ｃｄが形成され、濾過エレメントユニット６内の吸上通路１０内には浄化室Ｃｃが形成されている。
【００１３】
エアポンプＰｕを運転すると、加圧エアは、吸上ホース８およびエアストン９を通って吸上通路１０内を上昇し、該吸上通路１０内に上昇水流を生じる。これにより、図３に矢印ａに示すように、水槽１内の未浄化水は、濾過ケース５の下部に開口した取水口１２から未浄化室Ｃｄ内に吸入され、該未浄化室Ｃｄ内の水は、図３矢印ｂに示すように、濾過エレメントユニット６の濾過エレメント５１を流通して浄化されながら浄化室Ｃｃに流入し、さらに吸上通路１０を上昇して排水管７の排水口４０より、図３矢印ｃに示すように、水槽１に還流する。また、吸上通路１０に上昇水流が生じるのに応じて、図３矢印ｄに示すように、濾過ケース５の下端に開口した補助取水口１３からも水槽１内の水は吸上通路１０に吸い上げられる。したがって、吸上通路１０内を上昇する水は、取水口１２から濾過エレメントを流過して浄化された水と、補助取水口１３から取水室１４を経て吸入された水とからなる。
【００１４】
なお、図１の符号７４は水槽１の底部に敷設される大磯などの砂利である。
【００１５】
つぎに、前述のように作用する濾過装置Ｆを構成する各構成要素の構造を説明する。
【００１６】
〔濾過ケース５〕
濾過ケース５は硬質合成樹脂材により上下方向に長い筒状に形成され、水槽１１の隅角部の内壁面に吸盤３で固定される第１のケース半体５Ｆと、この第１のケース半体５Ｆの開放部に着脱可能に接続される第２のケース半体５Ｓとより構成される。
【００１７】
第１のケース半体５Ｆは、図５〜８に示すように、横断面扇形状に形成されていて、水槽１Ｖの隅角に臨んで配置されるケース壁１６を備え、このケース壁１６は、水槽１の隅角部２の内壁面に沿って配置される一対の背面壁１６ａ，１６ａと、それらを一体に連結する連結壁１６ｂとにより構成され、一対の背面壁１６ａ，１６ａは相互のなす角度が水槽１の隅角部の角度すなわち９０度よりもわずかに大きい。また、ケース壁１６の下端の内面には、底壁１７が一体に形成されると共にその上方に若干の間隙を存して後述する第２のケース半体５Ｓの回動係合部２３を受ける係止受部１８が一体に形成されている。第１のケース半体５Ｆの一対の背面壁１６ａ，１６ａの背面の上下には、それぞれ吸盤３…が着脱可能に嵌着され、これらの吸盤３…により、第１のケース半体５Ｆは、水槽１の隅角部２の内壁面に吸着固定される。そして、後に述べるように、第１のケース半体５Ｆを水槽１内に取付けたまま、濾過エレメントユニット６の清掃、交換が可能になっている。また、第１のケース半体５Ｆの一対の背面壁１６ａ，１６ａの内面には、複数の補強リブ１９…（図８参照）が一体に形成されており、これらの補強リブ１９…は、濾過ケース５と、後述する濾過エレメントユニット６との間に、未浄化室Ｃｄを形成するための間隔保持部材として機能している。
【００１８】
一方、第２のケース半体５Ｓは、水槽１１の中央側に向かうにつれて狭まるようにした台形状に形成され、そのケース壁２１は、水槽１の中央側に臨む表壁２１ａと、その両側から第１ケース半体５Ｆに向けて外側に傾斜して延びる左右一対の側壁２１ｂ，２１ｂとより構成されており、この第２のケース半体５Ｓ内に後述する濾過エレメントユニット６が着脱自在に支持される。ケース壁２１の下縁には底壁２２が一体に形成されると共にその上方に若干の間隙を存して、濾過エレメントユニット６を支持すると共に第１のケース半体５Ｆの係止受部１８に回動可能に係止される回動係合部２３が一体に形成され、この回動係合部２３に一対の差込舌片２４，２４が下向きに一体に形成されている。また、第２のケース半体５Ｓのケース壁２１の下部には、複数条のスリットよりなる、前記取水口１２が開口され、さらにその下方に前記補助取水口１３が開口されている。
【００１９】
第１および第２のケース半体５Ｆ，５Ｓには、それらを、水槽１の水面の上方から手を水中に浸さずに、簡単に組立、分離可能な、本発明にかかる接続手段が設けられる。
【００２０】
図５，７，８に示すように、前記第１のケース半体５Ｆの左右一対の背面壁１６ａ，１６ａの左右の側縁には、それらの全長に亘り、上下方向に断面Ｖ字条の対をなす案内溝２６，２６が形成され、これらの案内溝２６，２６には、上下方向に間隔をあけて、係止孔２７，２７がそれぞれ開口されている。また、第１のケース半体５Ｆの係止受部１８の左右には、一対の係止溝２８，２８が開口され（図７，８参照）、これらの係止溝２８，２８に、前記差込舌片２４，２４が係脱可能に係合される。
【００２１】
一方、前記第２のケース半体５Ｓのケース壁２１の一対の側壁２１ｂ，２１ｂの左右下端には、一対の案内突起３０，３０が一体に突設され、これらの案内突起３０，３０は、第２のケース半体５Ｓを、第１のケース半体５Ｆに組み付ける際に、第１のケース半体５Ｆの左右の案内溝２６，２６に案内、係合されて、第２のケース半体５Ｓの下部を、前記一対の案内溝２６，２６に沿って、その上部から下部に向けてスライド移動させ、第１のケース半体５Ｆに対する第２のケース半体５Ｓに左右方向の位置規制が行なわれる。
【００２２】
また図５，７，９，１１に示すように、第２のケース半体５Ｓのケース壁２１の左右側縁、すなわち一対の側壁２１ｂ，２１ｂの側縁には、上下に間隔をあけてそれぞれ２つの係合突起３１，３１が内方に向けて一体に突設され、これらの係合突起３１，３１は、第１のケース半体５Ｆの係止孔２７，２７に対応した位置にあり、それらのケース半体５Ｆ，５Ｓが組み付けられるとき、それらの係止孔２７，２７に係合される（図５参照）。図７に示すように、第２のケース半体５Ｓの前記一対の差込舌片２４，２４は、第１のケース半体５Ｆの前記一対の係止溝２８，２８に差し込まれる。
【００２３】
図４，６に示すように、第２のケース半体５Ｓの上端には、これに第１のケース半体５Ｆを接続したときに、濾過ケース５の上端を閉鎖する天板３３が一体に設けられており、この前記天板３３には、水槽１の内側方および上方に開放した平面く字状をなす扇形凹部３４が設けられる。この扇形凹部３４は、水平面内でほぼ直交して水槽１の内方側に臨む鉛直な第１および第２規制面３４ａ，３４ｂと、水平面内で円弧状をなし第１，第２規制面３４ａ，３４ｂを継ぐ第１円弧面３４ｃと、第１，第２規制面３４ａ，３４ｂのなす角度に対応した水平な扇状に形成される支持面３４ｄとを備えている。そして、扇形凹部３４の中央部に、後述する排水管７を回動自在に嵌合する透孔３５が穿設されている。そして、前記天板３３と、底壁２２の上方の回動係合部２３との間に、濾過エレメントユニット６を設置するための受容部３６が形成されている（図１１参照）。
【００２４】
〔排水管７〕
排水管７は、図４，６に明瞭に示すように、支持面３４ｄ上に支持されて横方向に延び、先端に排水口４０を開口した横管部７ａと、縦方向に延びる縦管部７ｂとよりアングル状に形成され、縦管部７ｂには環状溝４１が形成されて、この環状溝４１が第２のケース半体５Ｓの透孔３５に回転自在に嵌合され、第１、第２規制面３４ａ，３４ｂ間で左右に回動（約４５°）することができる。また、後に述べるように、排水管７の横管部７ａは、第１のケース半体５Ｆに、第２のケース半体５Ｓを接続するときの「撮み」として利用することができる。そして、この縦管部７ｂの開口下端は、後に述べる濾過エレメントユニット６の吸上通路１０に連通される。
【００２５】
〔濾過エレメントユニット６〕
第１のケース半体５Ｆと、第２のケース半体５Ｓ内には、濾過エレメントユニット６が着脱可能に収容される。この濾過エレメントユニット６は、エレメントホルダ５０と、これに着脱自在に組み付けられる濾過エレメント５１より構成される。エレメントホルダ５０は、硬質の合成樹脂材により形成され、上下方向に長い一対の左右ホルダ半体５０Ａ，５０Ｂの内縁同志を、それらの長手方向に間隔をあけて設けられる複数（４つ）のヒンジ片５２…により開閉可能（約９０°）にヒンジ連結される。左右一対のホルダ半体５０Ａ，５０Ｂは、それらが閉じたときに、水の吸上通路１０を構成する半円筒状部分５３，５３を備え、これらの半円筒状部分５３，５３には前記ヒンジ片５２…を挟んで略直角に外方に突出する複数（４つ）のエレメント支持片５４…が一体に突設され、また、前記半円筒状部分５３，５３の上下両端部外側には、三角状の端壁５５，５８がそれぞれ一体に突設されている。さらに、図１３に示すように、一対のホルダ半体５０Ａ，５０Ｂの半円筒状部分５３，５３の自由端側には、その略全長にわたり先端が先鋭な断面三角状の突刺片５６，５６が外側に向けて一体に突設され、これらの突刺片５６，５６は、多孔質で弾褥性のある、前記濾過エレメント５１に突き刺すことにより、それに係止することができる。さらに、一対のホルダ半体５０Ａ，５０Ｂの半円筒状部分５３，５３の下端には、それぞれ複数の櫛片を設けた吸込口５７を形成する吸込口半部５７ａ，５７ｂが形成され、図１３に示すように一対のホルダ半体５０Ａ，５０Ｂが閉じたとき、吸込口半部５７ａ，５７ｂ同志が衝合されて、未浄化水の吸込口５７を形成する。図１２に示すように、左右一対のホルダ半体５０Ａ，５０Ｂの一方には、その長手方向に間隔をあけて２つのフック状の係合鉤５９，５９が一体に設けられ、また他方のホルダ半体５０Ａ，５０Ｂには、前記係合鉤５９，５９に対応する２つの鉤孔６０，６０が穿設され、一対のホルダ半体５０Ａ，５０Ｂを閉じたときに、それらの係合鉤５９，５９と鉤孔６０，６０とがそれぞれ係合して、一対のホルダ半体５０Ａ，５０Ｂを閉じ位置に保持する。
【００２６】
一方、濾過エレメント５１は、多孔質で弾褥性をもつ合成樹脂材により長方形に形成され、その縦長さは、前記エレメントホルダ５０の上下端壁５８，５５間の長さと略同寸法であり、またその横長さは、エレメントホルダ５０に巻き込まれる寸法に形成される。
【００２７】
つぎに、エレメントホルダ５０と、濾過エレメント５１よりなる濾過エレメントユニット６を組み付ける手順について、図１３，１７を参照して説明すると、まず図１３（Ａ）に示す展開状態、すなわち一対のホルダ半体５０Ａ，５０Ｂが一平面上にある状態で、それらのエレメント半体５０Ａ，５０Ｂの突刺片５６，５６を、エレメントホルダ５０の背面側を覆うようにＵ字状に湾曲した濾過エレメント５１の内面端部に突き刺して係止した後、図１３（Ｂ）に、矢印Ａに示すように、一対のエレメント半体５０Ａ，５０Ｂを、ヒンジ片５２周りに閉じ方向に回動すると、濾過エレメント５１は、複数のエレメント支持片５４…により案内されながら、一対のホルダ半体５０Ａ，５０Ｂに巻き付くように湾曲し、図１３　（Ｃ）に示すように、一対のホルダ半体５０Ａ，５０Ｂが閉じてそれらの半円筒状部分５３，５３の開口部同志が衝き合わされると、エレメントホルダ５０の外周に、濾過エレメント５１が巻き付いて組付位置にセットされる。そして、このセット状態では、複数のエレメント支持片５４…は、濾過エレメント５１の背面側（第２のケース半体５Ｓの内面と対面する面）を平坦に支持する。一対のホルダ半体５０Ａ，５０Ｂが閉じられると、係合鉤５９，５９と鉤孔６０，６０とが係合して、エレメントホルダ５０は閉じ位置に保持される。
【００２８】
〔ホース８〕
このホース８はビニール管などの可撓管により構成され、その下端にエアストン９が接続され、その上端には、エアポンプＰｕを接続するためのジョイント６２が接続されている。このホース８は前記排水管７を貫通して、濾過エレメントユニット６の吸上通路１０内に挿入される。また、その上端は、水槽１の外に延長されて、エアポンプＰｕに接続される。
【００２９】
前記濾過装置Ｆは、水槽１内の水に手を殆ど浸すことなく、濾過エレメント５１の、清掃、交換などのメンテナンスが可能である。
【００３０】
以下、主に図１８〜２０を参照して、水槽１内に吸盤３により取り付けられている第１のケース半体５Ｆに対して、水槽１の水面上から第２のケース半体５Ｓを結合する手順について説明する。
【００３１】
▲１▼第２のケース半体５Ｓの回動係止部２３と天板３３との間の受容部３６に、新しい、もしくは清掃した濾過エレメントユニット６を設置し、排水管７を貫通したホース８を、エアストン９と共に濾過エレメントユニット６の吸上通路１０内に挿入し、排水管７を、第２のケース半体５Ｓの扇形凹部３４に回動可能に嵌合する。
【００３２】
▲２▼つぎに、図１８に示すように、吸上ホース８および排水管７を組み付けた第２のケース半体５Ｓの下端を、水槽１の水面の上方で第１のケース半体５Ｆの真上に位置させ、第２のケース半体５Ｓの下端の一対の案内突起３０，３０を、第１のケース半体５Ｆの両側の案内溝２６，２６の上端部に係合させ、図１８矢印Ｙに示すように排水管７を把持して、第２のケース半体５Ｓを、第１のケース半体５Ｆに対して外向きに傾斜させながら下向きに押圧すると、一対の案内突起３０，３０は、一対の案内溝２６，２６により案内されながらスライド下降する。これにより、第２のケース半体５Ｓは、第１のケース半体５Ｆに対して横方向の位置が規制される。
【００３３】
▲３▼つぎに、図１９に示すように、第１のケース半体５Ｆが下降して組付位置近くにくると、一対の差込舌片２４，２４は、第１のケース半体５Ｆの係止受部１８の一対の係止溝２８，２８に差込係合されるので、その係合部を支点として第２のケース半体５Ｓを図１９矢印Ｘに示すように、第１のケース半体５Ｆに向けて回動すれば、該第１のケース半体５Ｆの左右の複数の係合突起３１，３１は、第２のケース半体５Ｓの係止孔２７，２７にそれぞれ係合（図５参照）し、第２のケース半体５Ｓの回動係合部２３は、第１のケース半体５Ｆの係止受部１８上に当接して両者の上下位置が規制され、両ケース半体５Ｆ，５Ｓの組み付けが完了して、図１〜３に示すように、濾過装置Ｆは、水槽１内の所定位置に取り付けられる。
【００３４】
濾過装置Ｆの使用により、濾過エレメント５１の清掃、交換などのメンテナンスの必要なときは、前記▲１▼〜▲３▼の操作を逆に行なえば良い。
【００３５】
つぎに、図２１，２２を参照して、本発明の第２実施例について説明する、図２１は、本発明濾過装置を備えた水槽の斜視図、図２２は、濾過装置の断面図であり、図中、前記第１実施例と同じ要素には、同じ符号が付される。
【００３６】
この第２実施例は、本発明にかかる内部濾過装置Ｆに、底面濾過装置Ｆ′を接続した場合であり、水槽１の底面に敷設した、従来公知の底面濾過器７０のエア吸込口７１を、伸縮接続管７２およびＬ型接続管７３を介して濾過ケース５の吸上通路１０に連通させる。
【００３７】
なお、底面濾過器Ｆ′は、水槽１の底面に敷き詰めた大磯などの砂利７４内に埋設される。
【００３８】
この第２実施例では、エアポンプＰｕの運転により、前記第１実施例と同じく水槽１内の未浄化水を、内部式濾過装置Ｆ内に吸引して浄化できると共に砂利７４を介して底面濾過器Ｆ′内にも吸引することができ、砂利７４を濾材として底面からの浄化もできる。
【００３９】
しかして、この第２実施例のものも前記第１実施例のものと同等の作用効果を奏する。
【００４０】
以上、本発明の実施例について説明したが、本発明はその実施例に限定されることなく、本発明の範囲内で種々の実施例が可能である。
【００４１】
たとえば、前記実施例では、濾過装置Ｆ内に水を吸い上げる動力としてエアポンプを用いているが、水ポンプを用いてもよい。
【００４２】
【発明の効果】
以上のように、請求項各項記載の発明によれば、濾過エレメントユニットの濾過エレメントの清掃、交換などのメンテナンスを行なうときは、第１のケース半体を、水槽内に残置したまま、しかも人は、水槽内の水に手を深く入れずに、第１のケース半体に、濾過エレメントユニットを設置した第２のケース半体を容易に組み付け、あるいは取り外すことができ、これにより、濾過エレメントの交換作業をきわめて簡単、容易に行なうことができ、しかも、水槽内の水を手で汚すことがない。
【図面の簡単な説明】
【図１】濾過装置を水槽に設置した場合の斜視図（第１実施例）
【図２】図１の２矢視の、濾過装置の一部破断正面図
【図３】図２の３−３線に沿う断面図
【図４】図２の４−４線に沿う断面図
【図５】図２の５−５線に沿う断面図
【図６】図４の６−６線に沿う断面図
【図７】図２の　７−７　線に沿う濾過装置の分解断面図
【図８】第１のケース半体の正面図
【図９】図１０の９−９線に沿う濾過ケースの断面図
【図１０】図９の１０矢視の濾過ケースの底面図
【図１１】濾過ケースに分解および組立時の断面図
【図１２】濾過エレメントユニットの一部破断正面図
【図１３】図１２の１３−１３線に沿う濾過エレメントユニットの開閉状態を示す　　　断面図
【図１４】エレメントホルダの側面図
【図１５】図１４の１５矢視のエレメントホルダの正面図
【図１６】図１４の１６矢視のエレメントホルダの背面図
【図１７】濾過エレメントユニットの組立順序を示す斜視図
【図１８】濾過ケースの組み付け手順を示す図
【図１９】濾過ケースの組み付け手順を示す図
【図２０】図１８の２０−２０線に沿う断面図
【図２１】本発明濾過装置を備えた水槽の斜視図（第２実施例）
【図２２】濾過装置の断面図
【符号の説明】
１・・・・・・・・水槽
５・・・・・・・・濾過ケース
５Ｆ・・・・・・・第１のケース半体
５Ｓ・・・・・・・第２のケース半体
６・・・・・・・・濾過エレメントユニット
７・・・・・・・・排水管
１０・・・・・・・吸上通路
１８・・・・・・・係止受部
２３・・・・・・・回動係合部
２６・・・・・・・案内溝
２７・・・・・・・係止孔
３０・・・・・・・案内突起
３１・・・・・・・係合突起
３６・・・・・・・受容部（濾過エレメントの）
５０・・・・・・・エレメントホルダ
５１・・・・・・・濾過エレメント
５２・・・・・・・ヒンジ片
５３・・・・・・・半円状部分
Ｐｕ・・・・・・・水ポンプ（エアポンプ）
【図１】
2004057071.tif 000003
【図２】
2004057071.tif 000004
【図３】
2004057071.tif 000005
【図４】
2004057071.tif 000006
【図５】
2004057071.tif 000007
【図６】
2004057071.tif 000008
【図７】
2004057071.tif 000009
【図８】
2004057071.tif 000010
【図９】
2004057071.tif 000011
【図１０】
2004057071.tif 000012
【図１１】
2004057071.tif 000013
【図１２】
2004057071.tif 000014
【図１３】
2004057071.tif 000015
【図１４】
2004057071.tif 000016
【図１５】
2004057071.tif 000017
【図１６】
2004057071.tif 000018
【図１７】
2004057071.tif 000019
【図１８】
2004057071.tif 000020
【図１９】
2004057071.tif 000021
【図２０】
2004057071.tif 000022
【図２１】
2004057071.tif 000023
【図２２】
2004057071.tif 000024